(57)【特許請求の範囲】
【請求項１】
送風ファンと、前記送風ファンによって生じる風を吹き出す吹出し口と、前記吹出し口に配置され空気の上下方向の向きを変える上下風向変更羽根とを具備した空気調和機であって、前記上下風向変更羽根は、箱部と中空用蓋とを相互に係合させて中空部を有する箱状とし、前記中空用蓋の左右両端と中央とに上下風向変更羽根を支持する支持部を設け、前記箱部および前記中空用蓋の周縁の内側に前記支持部と略並行にシール用突壁を設けたことを特徴とする空気調和機。
【請求項２】
箱部の周縁の内側に差込み突起を複数個設け、さらに、前記差込み突起が挿入される穴部を中空用蓋の周縁の内側に複数個設けたことを特徴とする請求項１に記載の空気調和機。
【請求項３】
中空用蓋の周縁の内側に差込み突起を複数個設け、さらに、前記差込み突起が挿入される穴部を前記箱部の周縁の内側に複数個設けたことを特徴とする請求項１に記載の空気調和機。
【請求項４】
箱部と中空用蓋とは相互に同一材料で形成されたことを特徴とする請求項１〜３のうちいずれか一項に記載の空気調和機。
【発明の詳細な説明】
【技術分野】
【０００１】
本発明は室内の冷房を行う空気調和機の上下風向変更羽根の断熱構造に関するものである。
【背景技術】
【０００２】
一般に空気調和機の室内ユニットの吹出口には、冷温風の風向を制御するために上下風向変更羽根および左右風向変更羽根が設けられていて、一般的に上下風向変更羽根に断熱材を貼り付けて羽根に生じる結露を防止したものや、特許文献のような上下風向変更羽根の中央部と両端部で厚みを変えた工夫もなされている（例えば、特許文献１参照）。
【特許文献１】特開平７−２３４００６号公報
【発明の開示】
【発明が解決しようとする課題】
【０００３】
しかしながら、とくに１枚で構成された上下風向変更羽根の結露において、上下風向変更羽根裏面に断熱材を貼り付けて、羽根に生じる結露を防止する方法では、デザイン的に見栄えも悪く、断熱材の材料コスト及び貼り付け工数がかかるうえに、特殊な発砲ポリエチレン材料を断熱材として貼り付けるために、リサイクル時に断熱材の分別が必要になるなど廃棄後の環境対応が困難であるという課題を有していた。また、１枚で風向変更する場合、上下風向変更羽根の中央部の厚みを大きくし、両端部を薄くした場合、上下風向変更羽根の支持部の外観にひけが発生するため支持部の形状を複雑に形成する必要があった。
【課題を解決するための手段】
【０００４】
前記従来の課題を解決するために、本発明の空気調和機の上下風向変更羽根は、箱状に形成した箱部と中空用蓋を係合させて中空部を形成し、中空構成の上下風向変更羽根とすることで断熱材貼り付けと同等の断熱性能を維持することができる。
【発明の効果】
【０００５】
本発明の上下風向変更羽根は従来と同等の断熱性能を維持しながら、安価で設備投資費用も少なく組み立てが容易で、しかもリサイクル使用も容易である。
【発明を実施するための最良の形態】
【０００６】
第１の発明は、送風ファンと、前記送風ファンによって生じる風を吹き出す吹出し口と、前記吹出し口に上下風向変更羽根とを具備した空気調和機であって、前記上下風向変更羽根は、箱部と中空用蓋とを相互に係合させて中空部を有する箱状とすることにより、中空部で断熱材貼り付けと同等の断熱性能を維持すると共に、箱部と中空用蓋とを相互に係合させるだけで中空部が形成できるので、従来のような断熱材貼り付け作業に対する作業者の熟練度が要求されず安定した品質の確保と、コスト及び工数の低減を図ることができる。
【０００７】
また、中空用蓋側に、上下風向変更羽根の支持部を設けたことにより、組み立て後は成型によるひけが隠れるので、ひけの発生を気にすることなく厚みを大きく、簡素な形状で支持部を設けることができる。
【０００８】
また、箱部および中空用蓋の周縁の内側に前記支持部と略並行にシール用突壁を設けることにより、箱部と中空用蓋とのシール性が高められ、中空部での断熱効果を高めることができる。
【０００９】
第２の発明は、特に第１の発明の箱部の周縁の内側に差込み突起を複数個設け、さらに、前記差込み突起が挿入される穴部を中空用蓋の周縁の内側に複数個設けたもので、中空用蓋の箱部への取り付け作業が容易に行え、また、強固に固定することができる。
【００１０】
第３の発明は、特に第１の発明の中空用蓋の周縁の内側に差込み突起を複数個設け、さ
らに、前記差込み突起が挿入される穴部を箱部の周縁の内側に複数個設けたもので、中空用蓋の箱部への取り付け作業が容易に行え、また、強固に固定することができる。
【００１１】
第４の発明は、特に第１〜３のいずれかの発明の箱部と中空用蓋とを相互に同一材料で形成することにより、デザイン面において見栄えの良い上下風向変更羽根を形成でき、さらに材料が同一なので解体の手間をかけずに風向変更羽根をそのままリサイクル使用できるため環境負荷の低減を図ることができる。
【００１２】
以下、本発明の実施の形態について、図面を参照しながら説明する。なお、この実施の形態によって本発明が限定されるものではない。
【００１３】
（実施の形態１）
図１は、本発明の第一の実施の形態における空気調和機の正面図、図２は、図１のＢ−Ｂ断面図、図３は、同空気調和機の要部断面図（図２のＡ部拡大図）、図４は、同空気調和機の上下風向変更羽根の分解斜視図で、図５は、図４のＢ部拡大図である。図６は、従来の上下風向変更羽根の分解斜視図で、図７は、図６のＣ部拡大図である。なお、従来と同一部分については、同一符号を付してその説明を省略する。
【００１４】
図２において、空気調和機本体５は前面下部に吹出し口３を有し、吹出し口３内部の上側に熱交換器６と送風ファン４とが取付けられている。そして、吹出し口３には中空部２を形成した上下風向変更羽根１を配設する。
【００１５】
次に、上下風向変更羽根１の係合部の構成について、図３，４を用いて説明する。図に示すように、上下風向変更羽根１は、同一材料で成形された中空用蓋１ａと箱部１ｂとを係合して構成されており、中空用蓋１ａは、外周にシール用突壁９とその先端外側に差込み突起７を複数個設け、また箱部１ｂは、外周にシール用突壁９とその先端内側に穴部８を複数個設ける。そして、差込み突起７は穴部８に嵌合されて中空部２を設けた上下風向変更羽根１を構成する。
【００１６】
その係合において、箱部１ｂの周縁にシール用突壁９を設けることにより、箱部１ｂと中空用蓋１ａとのシール性が高められ、中空部２での断熱効果を高めることができる。なお、シール用突壁９を中空用蓋１ａにも設けることにより、シール性がさらに高められ、中空部２での断熱効果をより高めることができる。
【００１７】
また、箱部１ｂの周縁に差込み突起７を複数個設け、さらに、差込み突起７が挿入される穴部８を中空用蓋１ａの周縁に複数個設けることにより、中空用蓋１ａと箱部１ｂとの嵌合作業が容易に行え、また、強固に固定することができる。なお、差込み突起７を中空用蓋１ａに設け、穴部８を箱部１ｂに設けても同様の効果が得られる。
【００１８】
また、中空用蓋１ａ側に、上下風向変更羽根１の支持部１０を形成している。これにより、支持部１０の形成による樹脂成形上のひけが中空用蓋１ａに発生したとしても、組み立て後は上下風向変更羽根１の内側にひけが隠れるので、ひけの発生を気にすることなく厚みを大きく、簡素な形状で支持部を設けることができる。
【００１９】
また、箱部１ｂと中空用蓋１ａとを相互に同一材料で形成することにより、デザイン面において見栄えの良い上下風向変更羽根１を形成でき、さらに材料が同一なので解体の手間をかけずに上下風向変更羽根１をそのままリサイクル使用できるため環境負荷の低減を図ることができる。
【００２０】
以上のように構成された空気調和機の動作、作用について説明する。空気調和機本体５
の冷房運転時において、熱交換器６を通過し冷却された風が送風ファン４によって吹出し口３で風向きを上側にする運転モードにおいて、上下風向変更羽根１の外側と内側の温度差が生じ、上下風向変更羽根１の外側が結露する。そこで、上下風向変更羽根１は中空用蓋１ａと箱部１ｂで構成された中空部２の断熱効果で冷房時の結露を防止することができる。
【００２１】
上記構成により、中空部２で断熱材貼り付けと同等の断熱性能を維持し、コスト及び、工数低減を図ることができる。さらに、解体時の分別作業がなくなり、手間なくリサイクル使用できるため環境負荷の低減を図れる。
【産業上の利用可能性】
【００２２】
本発明の空気調和機の断熱構造は、従来と同等の断熱性能を維持しながら、安価で設備投資費用も少なく組み立てが容易で、しかも環境負荷の低減もできるので、断熱構造を必要とする各種機器、装置に適用できる。
【図面の簡単な説明】
【００２３】
【図１】本発明の実施の形態１における空気調和機の正面図
【図２】図１のＢ−Ｂ断面図
【図３】同空気調和機の要部断面図（図２のＡ部断面図）
【図４】同空気調和機の上下風向変更羽根の分解斜視図
【図５】図４のＢ部拡大図
【図６】従来の上下風向変更羽根の分解斜視図
【図７】図６のＣ部拡大図
【符号の説明】
【００２４】
１  上下風向変更羽根
１ａ  中空用蓋
１ｂ  箱部
２  中空部
３  吹出し口
４  送風ファン
５  空気調和機本体
６  熱交換器
７  差込み突起
８  穴部
９  シール用突起
１０  支持部
【図１】
0005292730.tif 000002
【図２】
0005292730.tif 000003
【図３】
0005292730.tif 000004
【図４】
0005292730.tif 000005
【図５】
0005292730.tif 000006
【図６】
0005292730.tif 000007
【図７】
0005292730.tif 000008